(57)【要約】【課題】店舗で購入された商品と共に提供される被印刷物に店舗ごとに特徴ある情報を印刷する。【解決手段】コンテンツ提供装置２は、コンテンツが印刷対象に選択される条件であるコンテンツ選択条件と、店舗の特徴を示す店舗属性情報とを記憶する。コンテンツ提供装置２は、店舗装置３から受信した印刷データ要求に設定された店舗識別情報により特定される店舗の店舗属性情報を取得し、取得した店舗属性情報とコンテンツ選択条件とを照合して印刷対象のコンテンツを選択する。コンテンツ提供装置２は、印刷対象として選択したコンテンツを少なくとも印刷させる印刷データを生成し、店舗装置３へ送信する。店舗装置３の印刷装置５は、コンテンツ提供装置２から受信した印刷データを、店舗において商品とともに購入者に提供される被印刷物７に印刷する。【選択図】図１
2018132938.tif 000002
【特許請求の範囲】
【請求項１】
コンテンツ提供装置と店舗に設置された店舗装置とを有するコンテンツ印刷システムであって、
前記店舗装置は、
店舗を特定する情報である店舗識別情報が設定された印刷データ要求を前記コンテンツ提供装置に送信する印刷データ要求部と、
前記印刷データ要求部が送信した前記印刷データ要求に応じて前記コンテンツ提供装置から印刷データを受信する印刷データ受信部と、
前記印刷データ受信部が受信した前記印刷データを、商品とともに提供される被印刷物に印刷する印刷部と、
を備え、
前記コンテンツ提供装置は、
店舗の特徴を示す店舗属性情報を記憶する店舗情報記憶部と、
コンテンツが印刷対象に選択される条件であるコンテンツ選択条件を記憶するコンテンツ情報記憶部と、
前記店舗装置から前記印刷データ要求を受信する印刷データ要求受信部と、
前記印刷データ要求受信部が受信した前記印刷データ要求に設定された前記店舗識別情報により特定される店舗、又は、所定の店舗の前記店舗属性情報を取得し、取得した前記店舗属性情報と前記コンテンツ選択条件とを照合して印刷対象の前記コンテンツを選択するコンテンツ選択部と、
前記コンテンツ選択部が選択した前記コンテンツを少なくとも印刷させる印刷データを生成する印刷データ生成部と、
前記印刷データ要求の送信元の前記店舗装置へ、当該印刷データ要求に設定された前記店舗識別情報により特定される前記店舗について生成された前記印刷データを送信する印刷データ送信部と、
を備える、
ことを特徴とするコンテンツ印刷システム。
【請求項２】
前記コンテンツ提供装置又は前記店舗装置は、
前記印刷データに、前記印刷データ要求の送信元の前記店舗装置において印刷が指示されたコンテンツである店舗別コンテンツをさらに印刷させるための加工を行う印刷データ加工部を備え、
前記印刷部は、前記印刷データ加工部により加工された前記印刷データを前記被印刷物に印刷する、
ことを特徴とする請求項１に記載のコンテンツ印刷システム。
【請求項３】
前記コンテンツ選択部は、照合の結果選択された前記コンテンツが印刷された実績数と当該コンテンツの上限印刷数との比較に基づき、照合の結果選択された前記コンテンツと前記店舗装置において印刷が指示されたコンテンツである店舗別コンテンツとのいずれを印刷対象とするかを決定し、
前記印刷データ生成部は、前記コンテンツ選択部が決定した印刷対象の前記コンテンツ又は前記店舗別コンテンツを少なくとも印刷させる印刷データを生成する、
ことを特徴とする請求項１に記載のコンテンツ印刷システム。
【請求項４】
前記店舗別コンテンツは、前記店舗装置に入力されたコンテンツ、又は、前記店舗装置に入力された記憶場所に基づきインターネット上から取得したコンテンツである、
ことを特徴とする請求項２又は請求項３に記載のコンテンツ印刷システム。
【請求項５】
前記コンテンツ選択部は、照合の結果選択された前記コンテンツの数が前記被印刷物に印刷可能なコンテンツ数を超える場合、照合の結果選択された前記コンテンツの中から印刷可能な前記コンテンツ数を上限として、ランダムな確率で、前記コンテンツそれぞれの広告費に基づいた確率で、又は、前記コンテンツが印刷された実績数に基づいた確率で印刷対象のコンテンツをさらに選択する、
ことを特徴とする請求項１から請求項４のいずれか一項に記載のコンテンツ印刷システム。
【請求項６】
前記コンテンツ選択部は、照合の結果選択された前記コンテンツの数が前記被印刷物に印刷可能なコンテンツ数を超える場合、照合の結果選択された前記コンテンツから印刷可能な前記コンテンツ数を要素とする前記コンテンツの組を生成し、
前記印刷データ生成部は、前記コンテンツ選択部が生成した前記組ごとに、前記組に含まれる前記コンテンツを少なくとも印刷させる印刷データを生成し、
前記印刷データ送信部は、前記組ごとに生成された前記印刷データを前記印刷データ要求の送信元の前記店舗装置へ送信し、
前記印刷部は、前記組ごとに生成された前記印刷データから選択した前記印刷データを前記被印刷物に印刷する、
ことを特徴とする請求項１から請求項４のいずれか一項に記載のコンテンツ印刷システム。
【請求項７】
前記印刷データ要求には、情報種別と、商品購入者の属性と、購入商品とのうち１以上の情報が設定された検索条件がさらに設定され、
前記店舗属性情報は、前記店舗が属する地域と、前記店舗の客層とのうち１以上の情報を含み、
前記コンテンツ選択条件は、地域と、店舗の客層と、情報種別と、商品購入者の属性と、購入商品と、時間帯とのうち１以上の情報により示され、
前記コンテンツ選択部は、前記店舗識別情報により特定される店舗の前記店舗属性情報と、前記検索条件に含まれる情報及び現在時刻のうち１以上の情報との組み合わせを検索キーとし、前記検索キーと前記コンテンツ選択条件とを照合して印刷対象の前記コンテンツを選択する、
ことを特徴とする請求項１から請求項６のいずれか一項に記載のコンテンツ印刷システム。
【請求項８】
前記印刷データ生成部は、前記コンテンツ選択部が選択した印刷対象の前記コンテンツを、前記コンテンツ情報記憶部から、又は、前記コンテンツ情報記憶部に記憶される記憶場所に基づきインターネット上から取得し、取得した前記コンテンツを用いて前記印刷データを生成する、
ことを特徴とする請求項１から請求項７のいずれか一項に記載のコンテンツ印刷システム。
【請求項９】
店舗の特徴を示す店舗属性情報を記憶する店舗情報記憶部と、
コンテンツが印刷対象に選択される条件であるコンテンツ選択条件を記憶するコンテンツ情報記憶部と、
商品とともに提供される被印刷物に印刷データを印刷する店舗装置から店舗を特定する情報である店舗識別情報が設定された印刷データ要求を受信する印刷データ要求受信部と、
前記印刷データ要求受信部が受信した前記印刷データ要求に設定された前記店舗識別情報により特定される店舗、又は、所定の店舗の前記店舗属性情報を取得し、取得した前記店舗属性情報と前記コンテンツ選択条件とを照合して印刷対象の前記コンテンツを選択するコンテンツ選択部と、
前記コンテンツ選択部が選択した前記コンテンツを少なくとも印刷させる印刷データを生成する印刷データ生成部と、
前記印刷データ要求の送信元の前記店舗装置へ、当該印刷データ要求に設定された前記店舗識別情報により特定される前記店舗について生成された前記印刷データを送信する印刷データ送信部と、
を備えることを特徴とするコンテンツ提供装置。
【請求項１０】
コンテンツ提供装置と店舗に設置された店舗装置とを有するコンテンツ印刷システムを用いた印刷方法であって、
前記店舗装置において、
印刷データ要求部が、店舗を特定する情報である店舗識別情報が設定された印刷データ要求を前記コンテンツ提供装置に送信する印刷データ要求過程と、
前記コンテンツ提供装置において、
コンテンツ選択部が、店舗の特徴を示す店舗属性情報を記憶する店舗情報記憶部から、前記店舗装置から受信した前記印刷データ要求に設定された前記店舗識別情報により特定される店舗、又は、所定の店舗の前記店舗属性情報を取得し、取得した前記店舗属性情報と、コンテンツが印刷対象に選択される条件であるコンテンツ選択条件とを照合して前記コンテンツを選択するコンテンツ選択過程と、
印刷データ生成部が、前記コンテンツ選択過程において選択された前記コンテンツを少なくとも印刷させる印刷データを生成する印刷データ生成過程と、
印刷データ送信部が、前記印刷データ要求の送信元の前記店舗装置へ、当該印刷データ要求に設定された前記店舗識別情報により特定される前記店舗について生成された前記印刷データを送信する印刷データ送信過程と、
前記店舗装置において、
印刷データ受信部が、前記コンテンツ提供装置から前記印刷データを受信する印刷データ受信過程と、
印刷部が、前記印刷データ受信過程において受信した前記印刷データを、商品とともに提供される被印刷物に印刷する印刷過程と、
を有することを特徴とする印刷方法。
【発明の詳細な説明】
【技術分野】
【０００１】
本発明は、コンテンツ印刷システム、コンテンツ提供装置及び印刷方法に関する。
【背景技術】
【０００２】
従来、小売店舗において、サーバから受信した印刷データを用いて、商品に貼付するシール、ラベル、テープや、商品の包装パッケージ、容器などの商品包装材等に広告を印刷する技術がある（例えば、特許文献１参照）。しかしながら、この従来技術では、店舗ごとに印刷データにより印刷する広告などのコンテンツを変えることができず、店舗で商品を購入した消費者に、各店舗に特徴あるコンテンツを印刷することは困難であった。
【先行技術文献】
【特許文献】
【０００３】
【特許文献１】特開２００２−８３２２０号公報
【発明の概要】
【発明が解決しようとする課題】
【０００４】
本発明は、このような事情を考慮してなされたもので、店舗で購入された商品と共に提供される被印刷物に店舗ごとに特徴ある情報を印刷することができるコンテンツ印刷システム、コンテンツ提供装置及び印刷方法を提供する。
【課題を解決するための手段】
【０００５】
上記目的を達成するために、本発明の一態様は、コンテンツ提供装置と店舗に設置された店舗装置とを有するコンテンツ印刷システムであって、前記店舗装置は、店舗を特定する情報である店舗識別情報が設定された印刷データ要求を前記コンテンツ提供装置に送信する印刷データ要求部と、前記印刷データ要求部が送信した前記印刷データ要求に応じて前記コンテンツ提供装置から印刷データを受信する印刷データ受信部と、前記印刷データ受信部が受信した前記印刷データを、商品とともに提供される被印刷物に印刷する印刷部と、を備え、前記コンテンツ提供装置は、店舗の特徴を示す店舗属性情報を記憶する店舗情報記憶部と、コンテンツが印刷対象に選択される条件であるコンテンツ選択条件を記憶するコンテンツ情報記憶部と、前記店舗装置から前記印刷データ要求を受信する印刷データ要求受信部と、前記印刷データ要求受信部が受信した前記印刷データ要求に設定された前記店舗識別情報により特定される店舗、又は、所定の店舗の前記店舗属性情報を取得し、取得した前記店舗属性情報と前記コンテンツ選択条件とを照合して印刷対象の前記コンテンツを選択するコンテンツ選択部と、前記コンテンツ選択部が選択した前記コンテンツを少なくとも印刷させる印刷データを生成する印刷データ生成部と、前記印刷データ要求の送信元の前記店舗装置へ、当該印刷データ要求に設定された前記店舗識別情報により特定される前記店舗について生成された前記印刷データを送信する印刷データ送信部と、を備える、ことを特徴とするコンテンツ印刷システムである。
【０００６】
また、本発明の一態様は、上述のコンテンツ印刷システムであって、前記コンテンツ提供装置又は前記店舗装置は、前記印刷データに、前記印刷データ要求の送信元の前記店舗装置において印刷が指示されたコンテンツである店舗別コンテンツをさらに印刷させるための加工を行う印刷データ加工部を備え、前記印刷部は、前記印刷データ加工部により加工された前記印刷データを前記被印刷物に印刷する、ことを特徴とする。
【０００７】
また、本発明の一態様は、上述のコンテンツ印刷システムであって、前記コンテンツ選択部は、照合の結果選択された前記コンテンツが印刷された実績数と当該コンテンツの上限印刷数との比較に基づき、照合の結果選択された前記コンテンツと前記店舗装置において印刷が指示されたコンテンツである店舗別コンテンツとのいずれを印刷対象とするかを決定し、前記印刷データ生成部は、前記コンテンツ選択部が決定した印刷対象の前記コンテンツ又は前記店舗別コンテンツを少なくとも印刷させる印刷データを生成する、ことを特徴とする。
【０００８】
また、本発明の一態様は、上述のコンテンツ印刷システムであって、前記店舗別コンテンツは、前記店舗装置に入力されたコンテンツ、又は、前記店舗装置に入力された記憶場所に基づきインターネット上から取得したコンテンツである、ことを特徴とする。
【０００９】
また、本発明の一態様は、上述のコンテンツ印刷システムであって、前記コンテンツ選択部は、照合の結果選択された前記コンテンツの数が前記被印刷物に印刷可能なコンテンツ数を超える場合、照合の結果選択された前記コンテンツの中から印刷可能な前記コンテンツ数を上限として、ランダムな確率で、前記コンテンツそれぞれの広告費に基づいた確率で、又は、前記コンテンツが印刷された実績数に基づいた確率で印刷対象のコンテンツをさらに選択する、ことを特徴とする。
【００１０】
また、本発明の一態様は、上述のコンテンツ印刷システムであって、前記コンテンツ選択部は、照合の結果選択された前記コンテンツの数が前記被印刷物に印刷可能なコンテンツ数を超える場合、照合の結果選択された前記コンテンツから印刷可能な前記コンテンツ数を要素とする前記コンテンツの組を生成し、前記印刷データ生成部は、前記コンテンツ選択部が生成した前記組ごとに、前記組に含まれる前記コンテンツを少なくとも印刷させる印刷データを生成し、前記印刷データ送信部は、前記組ごとに生成された前記印刷データを前記印刷データ要求の送信元の前記店舗装置へ送信し、前記印刷部は、前記組ごとに生成された前記印刷データから選択した前記印刷データを前記被印刷物に印刷する、ことを特徴とする。
【００１１】
また、本発明の一態様は、上述のコンテンツ印刷システムであって、前記印刷データ要求には、情報種別と、商品購入者の属性と、購入商品とのうち１以上の情報が設定された検索条件がさらに設定され、前記店舗属性情報は、前記店舗が属する地域と、前記店舗の客層とのうち１以上の情報を含み、前記コンテンツ選択条件は、地域と、店舗の客層と、情報種別と、商品購入者の属性と、購入商品と、時間帯とのうち１以上の情報により示され、前記コンテンツ選択部は、前記店舗識別情報により特定される店舗の前記店舗属性情報と、前記検索条件に含まれる情報及び現在時刻のうち１以上の情報との組み合わせを検索キーとし、前記検索キーと前記コンテンツ選択条件とを照合して印刷対象の前記コンテンツを選択する、ことを特徴とする。
【００１２】
また、本発明の一態様は、上述のコンテンツ印刷システムであって、前記印刷データ生成部は、前記コンテンツ選択部が選択した印刷対象の前記コンテンツを、前記コンテンツ情報記憶部から、又は、前記コンテンツ情報記憶部に記憶される記憶場所に基づきインターネット上から取得し、取得した前記コンテンツを用いて前記印刷データを生成する、ことを特徴とする。
【００１３】
また、本発明の一態様は、店舗の特徴を示す店舗属性情報を記憶する店舗情報記憶部と、コンテンツが印刷対象に選択される条件であるコンテンツ選択条件を記憶するコンテンツ情報記憶部と、商品とともに提供される被印刷物に印刷データを印刷する店舗装置から店舗を特定する情報である店舗識別情報が設定された印刷データ要求を受信する印刷データ要求受信部と、前記印刷データ要求受信部が受信した前記印刷データ要求に設定された前記店舗識別情報により特定される店舗、又は、所定の店舗の前記店舗属性情報を取得し、取得した前記店舗属性情報と前記コンテンツ選択条件とを照合して印刷対象の前記コンテンツを選択するコンテンツ選択部と、前記コンテンツ選択部が選択した前記コンテンツを少なくとも印刷させる印刷データを生成する印刷データ生成部と、前記印刷データ要求の送信元の前記店舗装置へ、当該印刷データ要求に設定された前記店舗識別情報により特定される前記店舗について生成された前記印刷データを送信する印刷データ送信部と、を備えることを特徴とするコンテンツ提供装置である。
【００１４】
また、本発明の一態様は、コンテンツ提供装置と店舗に設置された店舗装置とを有するコンテンツ印刷システムを用いた印刷方法であって、前記店舗装置において、印刷データ要求部が、店舗を特定する情報である店舗識別情報が設定された印刷データ要求を前記コンテンツ提供装置に送信する印刷データ要求過程と、前記コンテンツ提供装置において、コンテンツ選択部が、店舗の特徴を示す店舗属性情報を記憶する店舗情報記憶部から、前記店舗装置から受信した前記印刷データ要求に設定された前記店舗識別情報により特定される店舗、又は、所定の店舗の前記店舗属性情報を取得し、取得した前記店舗属性情報と、コンテンツが印刷対象に選択される条件であるコンテンツ選択条件とを照合して前記コンテンツを選択するコンテンツ選択過程と、印刷データ生成部が、前記コンテンツ選択過程において選択された前記コンテンツを少なくとも印刷させる印刷データを生成する印刷データ生成過程と、印刷データ送信部が、前記印刷データ要求の送信元の前記店舗装置へ、当該印刷データ要求に設定された前記店舗識別情報により特定される前記店舗について生成された前記印刷データを送信する印刷データ送信過程と、前記店舗装置において、印刷データ受信部が、前記コンテンツ提供装置から前記印刷データを受信する印刷データ受信過程と、印刷部が、前記印刷データ受信過程において受信した前記印刷データを、商品とともに提供される被印刷物に印刷する印刷過程と、を有することを特徴とする印刷方法である。
【発明の効果】
【００１５】
本発明によれば、店舗で購入された商品と共に提供される被印刷物に店舗ごとに特徴ある情報を印刷することができる。
【図面の簡単な説明】
【００１６】
【図１】本発明の一実施形態によるコンテンツ印刷システムの構成図である。
【図２】同実施形態によるスリーブの外観を示す図である。
【図３】同実施形態によるコンテンツ提供装置の機能ブロック図である。
【図４】同実施形態による店舗装置の機能ブロック図である。
【図５】同実施形態による店舗プロファイル情報の例を示す図である。
【図６】同実施形態によるコンテンツ管理情報の例を示す図である。
【図７】同実施形態によるコンテンツ選択情報の例を示す図である。
【図８】同実施形態による印刷実績情報の例を示す図である。
【図９】同実施形態によるコンテンツ印刷システムの動作を示すフロー図である。
【発明を実施するための形態】
【００１７】
以下、図面を参照しながら本発明の実施形態を詳細に説明する。
【００１８】
［全体構成と動作概要］
図１は、本発明の一実施形態によるコンテンツ印刷システム１の構成図である。コンテンツ印刷システム１は、コンテンツ提供者のコンテンツ提供装置２と、店舗に設置された店舗装置３とを備える。店舗は、例えば、コンビニエンスストア、ファストフード店、カフェなどであるが、これらに限定されない。同図では、店舗装置３を一つのみ示しているが、コンテンツ印刷システム１は、複数の各店舗に設置された店舗装置３を備える。コンテンツ提供装置２及び店舗装置３はそれぞれネットワーク９に接続されており、ネットワーク９を介してデータを送受信する。ネットワーク９は、インターネットなどの公衆網であるが、イントラネット、専用線などの私設網であってもよく、公衆網及び私設網を含んでもよい。
【００１９】
店舗装置３は、コンピュータ端末などの店舗端末４と、プリンターなどの印刷装置５とを備える。店舗端末４と印刷装置５は、イントラネットなどのネットワークや、ケーブルにより接続されるが、公衆網により接続されてもよい。また、１台の店舗端末４に複数台の印刷装置５が接続されてもよい。ネットワーク９には、１台以上の情報提供装置６が接続される。情報提供装置６は、インターネット上で情報（コンテンツ）の提供を行うコンピュータサーバである。情報提供装置６は、例えば、ＳＮＳ（ソーシャルネットワークサービス）を提供するウェブサーバや、ニュースを提供するウェブサーバなどである。
【００２０】
コンテンツ印刷システム１は、消費者が店舗で商品を購入した際に、その商品とともに提供される被印刷物７に、店舗ごとに特徴のあるコンテンツを印刷する。例えば、コンテンツ印刷システム１は、地域別のタイムリーな情報をオンデマンドで被印刷物７に印刷する。被印刷物７は、例えば、商品の包装材、商品のパッケージ、商品又は商品の包装材に添付するラベルやシール、テープ、商品に添えられるカードやチラシなどでもよい。被印刷物７に印刷されるコンテンツは、クライアントから提供される広告等だけではなく、リアルタイムで反映した店舗の最新情報やお得情報、店舗メッセージ、割引クーポン、ＳＮＳと連動した情報とすることができる。クライアントは、例えば、旅行会社、不動産業者、ネット通販業者など、店舗を保有する企業とは異なる企業等であるが、これらに限定されない。
【００２１】
店舗ごとに特徴のあるコンテンツを被印刷物７に印刷するため、コンテンツ提供者は、クライアントから配布を依頼されたコンテンツを、店舗の地域や客層などの属性に対応付けてコンテンツ提供装置２へ登録しておく。このコンテンツは、広告のほか、クーポン、割引券、ＳＮＳ等で提供されているクライアントに関する最新の情報などが例示されるが、任意のコンテンツとすることができる。コンテンツ提供装置２は、店舗装置３からオンデマンドで印刷データの送信要求を受けると、店舗装置３が設置されている店舗の属性に応じて印刷対象のコンテンツを選択し、選択したコンテンツを印刷させる印刷データを生成し、返送する。これにより、店舗の地域や客層に合った情報が印刷される印刷データを店舗装置３により被印刷物７に印刷することができる。店舗の希望にあわせてその店舗の属性を変更することにより、例えば若い世代の客層が多いときには、その客層に合わせた情報を被印刷物７に印刷し、商品の購入者に提供することもできる。
【００２２】
店舗端末４は、コンテンツ提供装置２から受信した印刷データに、店舗で指定したコンテンツを印刷するための印刷データを合成し、印刷装置５により印刷させてもよい。店舗で指定したコンテンツを、店舗別コンテンツとも記載する。店舗別コンテンツは、店舗からのメッセージ、店舗の広告、店舗で使用できるクーポンや割引券、ＳＮＳ等で提供されている店舗の最新の情報、地域のニュース、地域の天気、おみくじなどが例示されるが、任意のコンテンツとすることができる。この場合、被印刷物７の印刷スペースには、コンテンツ提供装置２から送信される印刷データの印刷領域と、店舗端末４において生成する印刷データの印刷領域とを設けておく。印刷装置５は、店舗端末４が合成を行った印刷データに基づき被印刷物７に印刷を行う。
【００２３】
コンテンツ提供装置２は、被印刷物７に印刷するコンテンツを選択する際に、店舗属性に加えて、以下の条件をさらに用いてもよい。
すなわち、コンテンツ提供装置２は、購入者の属性（例えば、性別、年代など）や購入商品の情報をさらに条件として用い、この条件に基づいて一番効果的と考えられる内容のコンテンツを選択し、被印刷物７に印刷させる。このとき、効果的と考えられる複数のコンテンツの中からランダムにコンテンツを選択してもよい。この場合、店舗端末４は、店舗の店員又は購入者が、店舗端末４又は印刷装置５に入力した購入者の属性や、ＰＯＳ（Point Of Sale）システムに入力された購入者の属性や購入商品の情報をコンテンツ提供装置２に送信する。
【００２４】
また、コンテンツ提供装置２と店舗端末４の一方又は両方は、時間帯をさらに条件として用い、印刷対象のコンテンツを選択してもよい。例えば、コンテンツ提供装置２は、朝方はニュースに関するコンテンツ、昼時は食品情報に関するコンテンツ、夜時は飲食店情報やイベントなどに関するコンテンツを選択する。
【００２５】
また、コンテンツ提供装置２と店舗端末４の一方又は両方は、被印刷物７に印刷するコンテンツを、購入者が選択した情報種別に合うように選択してもよい。
例えば、店舗端末４又は印刷装置５に複数のボタンを備えておき、店舗端末４は、商品の購入者、又は、店舗の店員がいずれのボタンを選択したかの情報をコンテンツ提供装置２に送信する。コンテンツ提供装置２と店舗端末４の一方又は両方は、選択されたボタンに応じてコンテンツを選択する。例えば、ボタンには、１〜３までの番号が割り当てられており、店舗端末４は、１が選択された場合は地域情報の店舗別コンテンツ、２が選択された場合には店舗のＳＮＳ情報やセール情報の店舗別コンテンツ、３が選択された場合は時事経済情報の店舗別コンテンツを選択する。なお、１〜３までのボタン毎に印刷上限枚数を定めておき、この印刷上限枚数に達するように、１が選択された場合のコンテンツ、２が選択された場合のコンテンツ、３が選択された場合のコンテンツを均等に印刷してもよい。
【００２６】
さらに、コンテンツ提供装置２は、各コンテンツについて予め決められた配布枚数をコンスタントに印刷できるように、印刷上限枚数に沿ってコンテンツの印刷頻度、すなわち、印刷対象として選択される頻度を制御する。また、コンテンツ提供装置２は、広告費に応じてコンテンツの印刷頻度を変更する。
【００２７】
上記によれば、コンテンツ印刷システム１は、オンデマンドでコンテンツを選択して被印刷物７に印刷するため、店舗に事前に被印刷物を印刷して店舗に配布する必要がない。従って、店舗と購入者の手間を省きながら、購入者に有用でタイムリーなコンテンツを提供することができる。また、コンテンツ提供装置２が各店舗の属性情報に基づいて生成した印刷データを店舗装置３に送信し、店舗装置３により店舗において被印刷物７を印刷することで、店舗ごとにカスタマイズされた情報を購入者に提供できる。さらには、店舗装置３において生成された印刷データ（ＳＮＳの情報や、オリジナルコメント等）を併せて被印刷物７に印刷することで、店舗ごとの個性を出すことも可能になる。また、情報が印刷された被印刷物７とともに提供される商品の購入者に対して、割引券、クーポン券、値引きなどの付加価値を発行することもできる。
【００２８】
なお、印刷装置５は、印刷データを印刷した枚数をカウントするカウンターを内蔵してもよい。印刷装置５は、カウンターによりカウントした被印刷物７の印刷数をコンテンツ提供装置２に送信する。これにより、コンテンツ提供者は、印刷数に応じて広告主への課金や、店舗への広告料の支払いを行うことができる。また、コンテンツ提供者は、被印刷物７も店舗に提供することで、被印刷物７の提供枚数に応じて課金を行ってもよい。コンテンツ提供者が被印刷物７を店舗に提供する場合、被印刷物７には、オンデマンドによる変更がない部分については予め印刷を行って、店舗に提供してもよい。
【００２９】
［被印刷物の例と各装置の構成］
以下では被印刷物７がスリーブである場合を例に説明する。
図２は、スリーブ７１の外観を示す図である。図２（ａ）はカップに装着されたスリーブ７１を示す図である。図２（ａ）に示すように、スリーブ７１は、消費者が購入した暖かい飲み物を入れるカップの外側に巻いて使用される。図２（ｂ）はスリーブ７１を前面から見たときの外観を示し、図２（ｃ）はスリーブ７１を背面から見たときの外観を示す。スリーブ７１の外観には、固定印刷領域Ａ１、コンテンツ印刷領域Ａ２及び店舗別コンテンツ印刷領域Ａ３が含まれる。固定印刷領域Ａ１は、予め決められた印刷イメージが印刷される領域である。コンテンツ印刷領域Ａ２は、コンテンツ提供装置２によって選択されたクライアントのコンテンツが印刷される領域である。店舗別コンテンツ印刷領域Ａ３は、店舗個別に店舗装置３に登録した店舗別コンテンツが印刷される領域である。
【００３０】
固定印刷領域Ａ１、コンテンツ印刷領域Ａ２及び店舗別コンテンツ印刷領域Ａ３それぞれの位置、大きさ、形状及び数は任意に設定可能である。例えば、スリーブ７１には、コンテンツ印刷領域Ａ２が複数設けられてもよく、店舗別コンテンツ印刷領域Ａ３が複数設けられてもよい。また、コンテンツ印刷領域Ａ２内に店舗別コンテンツ印刷領域Ａ３が設けられてもよく、店舗別コンテンツ印刷領域Ａ３内にコンテンツ印刷領域Ａ２が設けられてもよい。
【００３１】
コンテンツ提供装置２は、固定印刷領域Ａ１及びコンテンツ印刷領域Ａ２への印刷を行う印刷データを生成し、店舗装置３に送信する。コンテンツ提供者が、固定印刷領域Ａ１を予め印刷したスリーブ７１を店舗に提供する場合、コンテンツ提供装置２は、コンテンツ印刷領域Ａ２への印刷を行う印刷データを生成し、店舗装置３に送信する。店舗装置３は、店舗別コンテンツ印刷領域Ａ３に印刷される印刷データを生成し、コンテンツ提供装置２から受信した印刷データと合成する。印刷データを、カップ自体ではなく、スリーブ７１に印刷することによって、店舗での印刷が容易となる。
【００３２】
図３は、コンテンツ提供装置２の構成を示す機能ブロック図であり、本実施形態と関係する機能ブロックのみを抽出して示してある。コンテンツ提供装置２は、１台以上のコンピュータサーバにより実現される。コンテンツ提供装置２は、通信部２１、記憶部２２及び処理部２３を備える。通信部２１は、ネットワーク９を介したデータの送受信を行う。記憶部２２は、各種情報を記憶する。記憶部２２は、店舗情報記憶部２２１、コンテンツ情報記憶部２２２及び印刷実績情報記憶部２２３を備える。
【００３３】
店舗情報記憶部２２１は、店舗プロファイル情報を記憶する。店舗プロファイル情報は、各店舗の属性を管理する情報である。店舗プロファイル情報は、店舗を特定する情報である店舗ＩＤ（店舗識別情報）と、店舗の特徴を示す店舗属性情報とを対応付けたデータである。
【００３４】
コンテンツ情報記憶部２２２は、コンテンツ管理情報及びコンテンツ選択情報を記憶する。コンテンツ管理情報は、クライアントから配布を依頼されたコンテンツを管理するための情報である。コンテンツ管理情報は、コンテンツごとに、クライアントＩＤと、コンテンツＩＤと、コンテンツ本体のデータであるコンテンツデータ又はコンテンツデータの記憶場所と、上限印刷数と、広告費とを対応付けたデータである。クライアントＩＤは、クライアントを特定する情報であり、コンテンツＩＤは、コンテンツを特定する情報である。コンテンツ選択情報は、印刷対象のコンテンツを選択するための情報である。コンテンツ選択情報は、コンテンツ選択条件と選択コンテンツ情報とを対応付けたデータである。コンテンツ選択条件は、対応する選択コンテンツ情報により示されるコンテンツが印刷対象として選択される条件を示す。選択コンテンツ情報は、例えば、コンテンツＩＤにより印刷対象のコンテンツを示す。
【００３５】
印刷実績情報記憶部２２３は、印刷実績情報を記憶する。印刷実績情報は、クライアントのコンテンツが各店舗において印刷された実績数を管理するための情報である。印刷実績情報は、店舗ＩＤと、コンテンツＩＤと、印刷数とを対応付けたデータである。
【００３６】
処理部２３は、印刷データ要求受信部２３１、印刷コンテンツ選択部２３２、印刷データ生成部２３３、印刷データ送信部２３４及び印刷実績管理部２３５を備える。印刷データ要求受信部２３１は、店舗ＩＤ及び検索条件が設定された印刷データ要求を店舗端末４から受信する。印刷コンテンツ選択部２３２は、印刷データ要求に設定されている店舗ＩＤに対応した店舗属性情報を、店舗情報記憶部２２１に記憶される店舗プロファイル情報から取得する。印刷コンテンツ選択部２３２は、店舗属性情報と、印刷データ要求に設定されている検索条件と、現在時刻とを検索キーとし、検索キーとコンテンツ情報記憶部２２２に記憶されるコンテンツ選択情報とを照合する。印刷コンテンツ選択部２３２は、照合の結果特定されたコンテンツ選択条件に対応付けられた選択コンテンツ情報を取得する。印刷データ生成部２３３は、コンテンツ情報記憶部２２２が取得した選択コンテンツ情報により特定されるコンテンツデータをコンテンツ情報記憶部２２２又は情報提供装置６から読み出す。印刷データ生成部２３３は、読み出したコンテンツデータを印刷させる印刷データを生成し、印刷データ要求の送信元の店舗装置３へ送信する。印刷実績管理部２３５は、店舗装置３からの通知に基づき、印刷実績情報記憶部２２３に記憶される印刷実績情報を更新する。
【００３７】
図４は、店舗装置３の構成を示す機能ブロック図であり、本実施形態と関係する機能ブロックのみを抽出して示してある。同図に示す店舗装置３は、店舗端末４及び印刷装置５を備えるが、店舗装置３は、店舗端末４及び印刷装置５を統合した装置であってもよい。
【００３８】
店舗端末４は、通信部４１、入力部４２、記憶部４３及び処理部４４を備える。通信部４１は、ネットワーク９を介したデータの送受信と、印刷装置５との間のデータの送受信を行う。入力部４２は、ユーザの操作による入力を受ける。入力部４２は、例えば、キーボードやボタン、マウス、タッチパネルに配されたタッチセンサなどである。記憶部４３は、店舗別コンテンツ情報などの各種データを記憶する。店舗別コンテンツ情報は、店舗別コンテンツの本体データである店舗別コンテンツデータ、又は、店舗別コンテンツデータの取得先となるインターネット上のアドレスである。
【００３９】
処理部４４は、店舗別コンテンツ登録部４４１、印刷データ要求部４４２、印刷データ受信部４４３、印刷データ加工部４４４及び印刷指示部４４５を備える。店舗別コンテンツ登録部４４１は、入力部４２により入力された店舗別コンテンツ情報を記憶する。印刷データ要求部４４２は、店舗ＩＤ及び検索条件を設定した印刷データ要求をコンテンツ提供装置２に送信する。検索条件はオプションとして印刷データ要求に設定可能であり、入力部４２又は印刷装置５により入力された情報が含まれ得る。検索条件を使用しない場合、印刷データ要求には店舗ＩＤのみが設定されてもよい。
【００４０】
印刷データ受信部４４３は、印刷データ要求部４４２が送信した印刷データ要求に応じてコンテンツ提供装置２から送信された印刷データを受信する。印刷データ加工部４４４は、コンテンツ提供装置２から受信した印刷データに、店舗別コンテンツをさらに印刷させるための加工を行う。例えば、印刷データ加工部４４４は、記憶部４３に記憶される店舗別コンテンツ情報に基づき店舗別コンテンツデータを取得し、取得した店舗別コンテンツデータを印刷するための印刷データを生成する。印刷データ加工部４４４は、生成した印刷データと、印刷データ受信部４４３が受信した印刷データとを合成する。印刷指示部４４５は、店舗別コンテンツの付加が不要な場合は、印刷データ受信部４４３がコンテンツ提供装置２から受信した印刷データを、店舗別コンテンツの付加を行う場合は、印刷データ加工部４４４により加工された印刷データを印刷装置５に出力し、印刷を指示する。
【００４１】
印刷装置５は、通信部５１、入力部５２、記憶部５３、印刷部５４、印刷履歴管理部５５及び制御部５６を備える。通信部５１は、店舗端末４との間でデータを送受信する。通信部５１は、ネットワーク９を介してコンテンツ提供装置２との間で直接データを送受信してもよい。入力部５２は、例えば、ボタンやタッチパネルに配されたタッチセンサであり、ユーザ操作による入力を受ける。記憶部５３は、印刷データや、コンテンツの印刷履歴などの各種データを記憶する。印刷部５４は、制御部５６からの制御に基づき、被印刷物７に印刷データを印刷する。印刷履歴管理部５５は、コンテンツの印刷履歴を管理する。なお、印刷履歴管理部５５は、印刷データの印刷数をカウントするカウンターであってもよい。制御部５６は、各部を制御する。制御部５６は、店舗端末４から受信した印刷データを記憶部５３に書き込む処理、入力部５２により入力された情報を店舗端末４に出力する処理、記憶部５３に記憶された印刷データを印刷するよう印刷部５４を制御する処理などを行う。また、制御部５６は、記憶部５３から読み出した印刷履歴を、店舗端末４を介して又は直接、コンテンツ提供装置２に通知する。
【００４２】
［データ構成］
次に、各装置に記憶されるデータの構成例を説明する。
図５は、店舗プロファイル情報のデータ例を示す図である。店舗プロファイル情報は、店舗ＩＤと、店舗ＩＤにより特定される店舗の店舗属性情報とを対応付けた情報である。同図に示す店舗属性情報は、店舗が属する地域と、客層とを示しているが、これら以外の情報を用いてもよい。客層は、地域住民と地域外住民のいずれが多いかや、どの年代の顧客が多いかなどにより示される。地域住民とは、店舗がある地域の周辺が居住地域である顧客であり、地域外住民とは、店舗がある地域以外が居住地域の顧客である。同図に示すように、客層は、時間帯別に設定されてもよい。
【００４３】
図６は、コンテンツ管理情報のデータ例を示す図である。コンテンツ管理情報は、クライアントＩＤと、コンテンツＩＤと、コンテンツＩＤより特定されるコンテンツデータ又はそのコンテンツデータの記憶場所と、コンテンツの配信期間と、コンテンツの上限印刷数と、コンテンツの広告費とを対応付けた情報である。コンテンツデータの記憶場所は、例えば、ＳＮＳにおいてクライアントが情報を発信しているウェブページや、ニュースなどが掲載されているウェブページのＵＲＬ（Universal Resource Locator）である。なお、配信期間を複数の期間に区切り、区切られた期間ごとに上限印刷数を設定してもよい。
【００４４】
図７は、コンテンツ選択情報のデータ例を示す図である。コンテンツ選択情報は、コンテンツ選択条件と選択コンテンツ情報とを対応付けた情報である。コンテンツ選択条件は、コンテンツが印刷対象として選択される条件を示す。コンテンツ選択条件は、店舗の地域、情報種別を表す情報番号、客層、時間帯、購入商品、購入者属性などのうち１以上の任意の組み合わせにより表される。購入者属性は、性別、年代など、商品購入者の属性を表す。選択コンテンツ情報には、コンテンツ選択条件を満たす場合に印刷対象として選択されるコンテンツのコンテンツＩＤが設定される。なお、コンテンツ選択条件に客層の年代と購入者属性の年代とが設定されている場合は、購入者属性の年代を優先して判断するなど、検索キーとコンテンツ選択条件との合致を判断する際の優先度がさらに設定されてもよい。
【００４５】
同図の例によれば、地域「品川」の店舗で商品「コーヒー」を購入した場合でも、「地域外住民」が多い客層の時間帯か、「地域住民」が多い客層の時間帯かによって、異なるコンテンツが選択されるように設定することができる。これにより、例えば、地域住民が多い客層の場合は、店舗周辺地域の不動産の広告が選択され、地域外住民が多い客層の場合は、郊外のショッピングモールの広告が選択されるようにすることができる。
【００４６】
また、同図の例によれば、地域「品川」の店舗で地域住民が多い客層の時間帯に商品が購入された場合でも、購入商品が「コーヒー」であるか「からあげ」であるかに応じて、異なるコンテンツが選択されるようにすることができる。これにより、例えば、コーヒーが購入された場合は、店舗周辺のカフェのクーポン券が選択され、からあげが購入された場合は、店舗周辺のレストランの割引券が選択されるようにすることができる。
【００４７】
また、例えば、地域「横浜」の店舗で情報番号「１」が指定された場合でも、「３０代以下」が多い客層の時間帯か、「４０代以上」が多い客層の時間帯かによって異なるコンテンツが選択され、情報番号「３」が指定された場合は客層に依らず同じコンテンツが選択されるようにすることもできる。また、地域「渋谷」の店舗で時間帯が「６時〜１３時」あっても、購入者の性別や年代によって異なるコンテンツが選択されるようにすることもできる。
【００４８】
また、同一のコンテンツ選択条件に対応した選択コンテンツ情報に複数のコンテンツＩＤを設定することにより、それらのコンテンツＩＤのコンテンツがランダムに、広告費に応じて、又は、印刷実績に応じて選択されるようにすることができる。
【００４９】
図８は、印刷実績情報のデータ例を示す図である。印刷実績情報は、店舗ＩＤと、コンテンツＩＤと、コンテンツＩＤにより特定されるコンテンツが店舗ＩＤにより特定される店舗で印刷された印刷数とを対応付けた情報である。同図では、印刷数を所定時間毎に示している。所定時間は、１週間、１日、１時間、１０分など任意に設定可能である。
【００５０】
［コンテンツ印刷システムの動作］
次に、コンテンツ印刷システム１の動作について説明する。
予め、コンテンツ提供装置２の店舗情報記憶部２２１には、各店舗の店舗プロファイル情報を登録しておく。なお、店舗は、店舗装置３からコンテンツ提供装置２にアクセスし、自店舗の店舗プロファイル情報に設定される客層の情報など、一部の店舗属性情報を随時設定可能である。例えば、店舗の近隣でイベントが開催されるなどして客層が普段と異なる場合などに、客層の情報を変更することができる。
【００５１】
また、コンテンツ提供者は、コンテンツ提供装置２のコンテンツ情報記憶部２２２にクライアントから配布を依頼されたコンテンツのコンテンツ管理情報を登録する。さらに、コンテンツ提供者は、配布を依頼されたコンテンツが印刷対象として選択される条件に基づいてコンテンツ選択情報を登録する。
【００５２】
また、店舗の店員は、店舗端末４の入力部４２により、店舗別コンテンツの要否を設定し、店舗別コンテンツの印刷が必要な場合はさらに店舗別コンテンツ情報を入力しておく。店舗端末４の店舗別コンテンツ登録部４４１は、入力された店舗別コンテンツ情報を記憶部４３に登録する。店舗別コンテンツ情報は、情報番号と時間帯の一方又は両方とが設定された店舗別コンテンツ選択条件と対応付けて登録されてもよい。店舗では、店舗別コンテンツ情報及び店舗別コンテンツ選択条件を随時更新することができる。
【００５３】
＜商品購入の都度、被印刷物を印刷する場合＞
図９は、コンテンツ印刷システム１の動作を示す処理フローである。
まず、図９を用いて、商品購入の都度、オンデマンドで被印刷物7の印刷を行う場合の動作について説明する。店舗でコーヒーが購入されると、店員又はコーヒーの購入者は、店舗端末４の入力部４２を操作して、購入者が選んだ情報番号を入力し、印刷開始指示をさらに入力する（ステップＳ１０５）。なお、情報番号の入力が印刷開始指示の入力を兼ねてもよい。また、店員又は購入者は、情報番号に代えて、又は、加えて、購入者属性情報や購入商品情報を入力部４２により入力してもよい。購入商品情報には、購入者がコーヒー以外にも購入した商品を示す情報が含まれてもよい。店舗端末４は、購入商品情報をＰＯＳシステムから取得してもよい。また、店員又は購入者は、印刷装置５の入力部５２により情報番号及び印刷開始指示を入力してもよい。制御部５６は、入力された情報番号及び印刷開始指示を店舗端末４に送信する。
【００５４】
店舗端末４の印刷データ要求部４４２は、店舗ＩＤを印刷データ要求に設定する。印刷データ要求部４４２は、入力部４２により入力された又は印刷装置５から受信した情報番号、購入者属性情報又は購入商品情報がある場合は、それらの情報を含んだ検索条件をさらに印刷データ要求に設定する。印刷データ要求部４４２は、店舗ＩＤが設定された、又は、店舗ＩＤ及び検索条件が設定された印刷データ要求をコンテンツ提供装置２に送信する（ステップＳ１１０）。
【００５５】
コンテンツ提供装置２の印刷データ要求受信部２３１は、店舗端末４から送信された印刷データ要求を受信し、店舗ＩＤ及び検索条件情報を取得して印刷コンテンツ選択部２３２に出力する（ステップＳ２０５）。印刷コンテンツ選択部２３２は、店舗ＩＤ及び現在時刻に対応した店舗属性情報を店舗プロファイル情報から取得する（ステップＳ２１０）。印刷コンテンツ選択部２３２は、店舗属性情報と、検索条件情報に設定されている情報（情報番号、購入者属性情報、購入商品情報）と、現在時刻とを設定した検索キーを生成する（ステップＳ２１５）。
【００５６】
印刷コンテンツ選択部２３２は、生成した検索キーを用いて、コンテンツ選択情報に設定されているコンテンツ選択条件との合致を判断する。印刷コンテンツ選択部２３２は、検索キーと合致すると判断したコンテンツ選択条件に対応付けられた選択コンテンツ情報をコンテンツ選択条件から読み出す。合致するコンテンツ選択条件が複数あった場合、それらそれぞれに対応付けられた選択コンテンツ情報を読み出す。印刷コンテンツ選択部２３２は、読み出した全ての選択コンテンツ情報それぞれに設定されているコンテンツＩＤを、印刷候補ＩＤとして取得する（ステップＳ２２０）。
【００５７】
印刷コンテンツ選択部２３２は、印刷候補ＩＤに対応した配信期間及び上限印刷数をコンテンツ管理情報から読み出し、印刷候補ＩＤに対応した印刷数を印刷実績情報から読み出す。印刷コンテンツ選択部２３２は、印刷候補ＩＤに基づいて読み出した配信期間に現在日時が含まれない場合、その印刷候補ＩＤを除外する。さらに、印刷コンテンツ選択部２３２は、印刷数が上限印刷数に達している印刷候補ＩＤを除外する（ステップＳ２２５）。
【００５８】
なお、印刷コンテンツ選択部２３２は、配信期間の終了よりもかなり前に上限印刷数に達するおそれがある印刷候補ＩＤを除外してもよい。具体的には、印刷データ生成部２３３は、印刷候補ＩＤそれぞれについて期間経過割合及び印刷完了割合を算出する。期間経過割合は、配信期間の開始から現在日時までの経過期間が配信期間全体に占める割合である。印刷完了割合は、配信期間の上限印刷数に対する、配信期間の開始から現在日時までの印刷数である。印刷コンテンツ選択部２３２は、印刷完了割合が期間経過割合を所定だけ超える印刷候補ＩＤを除外する。
【００５９】
印刷コンテンツ選択部２３２は、残った印刷候補ＩＤの数が、スリーブ７１のコンテンツ印刷領域Ａ２に印刷可能なコンテンツ数以下であるか否かを判断する（ステップＳ２３０）。印刷コンテンツ選択部２３２は、残った印刷候補ＩＤの数が、スリーブ７１のコンテンツ印刷領域Ａ２に印刷可能なコンテンツ数以下であると判断した場合（ステップＳ２３０：ＹＥＳ）、それら印刷候補ＩＤを全て印刷対象ＩＤとし（ステップＳ２３５）、後述するステップＳ２４５の処理を行う。
【００６０】
一方、印刷コンテンツ選択部２３２は、残った印刷候補ＩＤの数が、スリーブ７１のコンテンツ印刷領域Ａ２に印刷可能なコンテンツ数よりも多いと判断した場合（ステップＳ２３０：ＮＯ）、以下のいずれかの条件により、印刷候補ＩＤの中から、印刷可能なコンテンツ数を上限として印刷対象ＩＤを選択する（ステップＳ２４０）。
【００６１】
（１）印刷コンテンツ選択部２３２は、印刷候補ＩＤの中からランダムに印刷対象ＩＤを選択する。これにより、購入者が同じ店で異なる日の同じ時間帯に同じ商品を購入したとしても違うコンテンツを提供することができ、購入者の興味を惹くことができる。
【００６２】
（２）印刷コンテンツ選択部２３２は、印刷候補ＩＤに対応した広告費を読み出し、印刷候補ＩＤそれぞれの選択比率を広告費に基づいて決定する。印刷コンテンツ選択部２３２は、決定した選択比率に従って印刷対象ＩＤを選択する。例えば、３つの印刷候補ＩＤそれぞれの広告費がａ、ｂ、ｃであった場合、ａ：ｂ：ｃの比率でそれら印刷候補ＩＤが印刷対象ＩＤとして選択されるようにする。これにより、広告費が高いコンテンツを優先して選択することができる。
【００６３】
（３）印刷コンテンツ選択部２３２は、コンテンツが印刷された実績数に基づいて印刷対象ＩＤを選択する。具体的には、印刷コンテンツ選択部２３２は、期間経過割合から印刷完了割合を減算した値が大きい印刷候補ＩＤから順に、又は、印刷完了割合を期間経過割合で除算した値が小さい印刷候補ＩＤから順に、印刷対象ＩＤを選択する。これにより、配信目標である上限印刷数に達していないコンテンツを優先して選択することができる。あるいは、印刷された実績数が多いコンテンツほど高い確率で選択されるように、印刷候補ＩＤの中からランダムに印刷対象ＩＤを選択してもよい。
【００６４】
上記のように、印刷コンテンツ選択部２３２は、印刷候補ＩＤの中から、ランダムな確率で、コンテンツそれぞれの広告費に基づいた確率で、又は、コンテンツが印刷された実績数に基づいた確率で、印刷対象ＩＤを選択する。印刷コンテンツ選択部２３２は、選択した印刷対象ＩＤを印刷データ生成部２３３に出力し、ステップＳ２５０の処理を行う。
【００６５】
印刷データ生成部２３３は、印刷対象ＩＤにより特定されるコンテンツデータ又はコンテンツデータのＵＲＬをコンテンツ管理情報から取得する。印刷データ生成部２３３は、ＵＲＬを取得した場合、そのＵＲＬを宛先に用いて情報提供装置６にアクセスし、返送されたウェブページ内の情報をコンテンツデータとして取得してコンテンツ情報記憶部２２２に一時的に保存する。印刷データ生成部２３３は、印刷対象ＩＤに基づいて取得したコンテンツデータがコンテンツ印刷領域Ａ２に印刷されるような印刷イメージの印刷データを生成する（ステップＳ２４５）。印刷データ生成部２３３は、生成した印刷データに印刷対象ＩＤを付加して印刷データ送信部２３４に出力する。印刷データ送信部２３４は、印刷データ生成部２３３から入力した印刷データを、印刷データ要求の送信元の店舗端末４へ送信する（ステップＳ２５０）。
【００６６】
店舗端末４の印刷データ受信部４４３は、コンテンツ提供装置２から印刷データを受信すると（ステップＳ１１５）、店舗別コンテンツの印刷の有無を判断する（ステップＳ１２０）。印刷データ受信部４４３は、店舗別コンテンツの印刷無しが設定されていると判断した場合（ステップＳ１２０：ＮＯ）、印刷データを印刷指示部４４５に出力する。
【００６７】
一方、印刷データ受信部４４３は、店舗別コンテンツの印刷有が設定されていると判断した場合（ステップＳ１２０：ＹＥＳ）、印刷データを印刷データ加工部４４４に出力する。印刷データ加工部４４４は、記憶部４３から、ステップＳ１０５において入力された情報番号と現在時刻とに基づいて特定される店舗別コンテンツ選択条件に対応した店舗別コンテンツ情報を読み出す。なお、店舗別コンテンツ選択条件に対応して複数の店舗別コンテンツ情報が登録されている場合、印刷データ加工部４４４は、それの中からランダムに、又は、それら複数の店舗別コンテンツ情報について予め記憶部４３に登録された選択比率の情報に応じて、店舗別コンテンツ情報を選択して読み出してもよい。これにより、例えば、９割は店舗からのお知らせの店舗別コンテンツが選択され、１割はクーポンの店舗別コンテンツが選択されるようにすることができる。
【００６８】
印刷データ加工部４４４は、読み出した店舗別コンテンツ情報からコンテンツデータ又はコンテンツデータのＵＲＬを取得する。印刷データ加工部４４４はＵＲＬを取得した場合、そのＵＲＬを宛先に用いて情報提供装置６にアクセスし、返送されたウェブページ内の情報をコンテンツデータとして取得して記憶部４３に保存する。印刷データ加工部４４４は、印刷データ受信部４４３が受信した印刷データに対し、店舗別コンテンツ印刷領域Ａ３に店舗別コンテンツのコンテンツデータを印刷させるための加工を行う（ステップＳ１２５）。印刷データ加工部４４４は加工を行った印刷データを印刷指示部４４５に出力する。
【００６９】
印刷指示部４４５は、印刷データ受信部４４３から入力した印刷データ、又は、印刷データ加工部４４４から入力した印刷データと、印刷実行命令とを印刷装置５に出力する（ステップＳ１３０）。印刷の実行を指示する印刷実行命令には、印刷数「１」が設定される。なお、印刷実行命令の入力時に、印刷数がさらに入力されていた場合、その印刷数が印刷実行命令に設定される。
【００７０】
印刷装置５の制御部５６は、店舗端末４から受信した印刷データを記憶部５３に書き込む。制御部５６は、印刷データに基づいて、印刷実行命令に設定されている印刷数分の印刷を行うための駆動信号を生成する。印刷部５４は、制御部５６からの駆動信号に従ってスリーブ７１の印刷を行う（ステップＳ１３５）。印刷履歴管理部５５は、印刷データに付加されている印刷対象ＩＤと、印刷数及び印刷日時とを対応付けた印刷履歴情報を記憶部５３に書き込む。
【００７１】
なお、印刷装置５の制御部５６は、所定期間毎に、前回印刷履歴情報を店舗端末４に送信した後に記憶部５３に書き込まれた印刷履歴情報を読み出す。制御部５６は、印刷対象ＩＤ毎に印刷数を合計し、印刷対象ＩＤ及び印刷数の組に、店舗ＩＤ及び現在時刻を付加した印刷履歴通知情報を、コンテンツ提供装置２に店舗端末４を介して、または、直接送信する。コンテンツ提供装置２の印刷実績管理部２３５は、店舗装置３から受信した印刷履歴通知情報に基づき、印刷実績情報記憶部２２３に記憶される印刷実績情報を更新する。印刷履歴通知情報の送信は、印刷の都度行ってもよい。
【００７２】
コンテンツ提供装置２の印刷実績管理部２３５は、定期的に、又は、入力された指示に従って各クライアントに対する課金処理を行ってもよい。具体的には、印刷実績管理部２３５は、コンテンツ管理情報から各クライアントＩＤに対応したコンテンツＩＤを読み出す。印刷実績管理部２３５は、読み出したコンテンツＩＤそれぞれについて、課金対象期間における印刷数を印刷実績情報から取得し、取得した印刷数をクライアントＩＤ毎に合計する。印刷実績管理部２３５は、クライアントに対して、当該クライアントのクライアントＩＤについて算出した印刷数の合計に基づいて課金を行う。
【００７３】
なお、店舗端末４の印刷データ加工部４４４をコンテンツ提供装置２に設けてもよい。この場合、店舗端末４の店舗別コンテンツ送信部（図示せず）は、店舗ＩＤと、店舗別コンテンツ選択情報及び店舗別コンテンツ情報とを設定した店舗別コンテンツ登録情報を予めコンテンツ提供装置２に通知しておく。コンテンツ提供装置２は、受信した店舗別コンテンツ登録情報をコンテンツ情報記憶部２２２に記憶する。コンテンツ提供装置２に備えられた印刷データ加工部４４４は、印刷データ要求から取得した店舗ＩＤの店舗別コンテンツ登録情報から、検索条件に設定されている情報番号と、現在時刻とに基づいて特定される店舗別コンテンツ選択条件に対応した店舗別コンテンツ情報を読み出す。コンテンツ提供装置２に備えられた印刷データ加工部４４４は、読み出した店舗別コンテンツ情報に基づいて店舗別コンテンツのコンテンツデータを取得し、印刷データ生成部２３３が生成した印刷データに対して、取得したコンテンツデータが店舗別コンテンツ印刷領域Ａ３に印刷されるように加工を行う。印刷データ送信部２３４は、加工された印刷データを店舗端末４に送信する。店舗端末４の印刷データ受信部４４３は受信した印刷データを印刷指示部４４５に出力する。
【００７４】
＜店舗が被印刷物を予め印刷しておく場合＞
店舗が混雑しているときには、商品購入の都度オンデマンドで被印刷物７を印刷すると、混雑を助長してしまう場合がある。そのときには、商品が購入される前に、予め被印刷物７を印刷しておいてもよく、店舗装置３が予め印刷データを受信して記憶しておき、店員又は購入者が印刷開始を指示したときには記憶されている印刷データを印刷してもよい。被印刷物７を予め印刷しておく場合のコンテンツ印刷システム１の動作について、上述した商品購入の都度、被印刷物７を印刷する場合との差分を中心に説明する。
【００７５】
ステップＳ１０５において、店舗の店員は、店舗端末４の入力部４２を操作して、店員が選択した情報番号、印刷数及び印刷開始指示を入力する。なお、情報番号は入力されなくてもよい。印刷データ要求部４４２は、店舗ＩＤを印刷データ要求に設定し、入力部４２により入力された情報番号がある場合は、その情報番号を含んだ検索条件をさらに印刷データ要求に設定する。ステップＳ１１０において、印刷データ要求部４４２は、店舗ＩＤが設定された、又は、店舗ＩＤ及び検索条件が設定された印刷データ要求をコンテンツ提供装置２に送信する。
【００７６】
コンテンツ提供装置２は、商品購入の都度、被印刷物７を印刷する場合と同様に、ステップＳ２０５〜Ｓ２５０の処理を行ってクライアントのコンテンツを選択し、選択したコンテンツをコンテンツ印刷領域Ａ２に印刷させる印刷データを生成し、店舗端末４へ送信する。ただし、コンテンツ提供装置２の印刷コンテンツ選択部２３２は、ステップＳ２３０において印刷候補ＩＤの数がコンテンツ印刷領域Ａ２に印刷可能なコンテンツ数を超えると判断した場合、その印刷可能なコンテンツ数の印刷候補ＩＤを要素とする印刷対象ＩＤの組を生成し、それらの組それぞれについて印刷データを生成するよう印刷データ生成部２３３に指示してもよい。例えば、印刷候補ＩＤがコンテンツＡ−ＩＤ、コンテンツＢ−ＩＤ、コンテンツＣ−ＩＤであるとする。印刷データ生成部２３３は、印刷可能なコンテンツ数が１の場合、（コンテンツＡ−ＩＤ）、（コンテンツＢ−ＩＤ）、（コンテンツＣ−ＩＤ）のそれぞれを印刷対象ＩＤとした印刷データの生成を印刷データ生成部２３３に指示する。また、印刷可能なコンテンツ数が２の場合、印刷データ生成部２３３は、（コンテンツＡ−ＩＤ，コンテンツＢ−ＩＤ）、（コンテンツＡ−ＩＤ，コンテンツＣ−ＩＤ）、（コンテンツＢ−ＩＤ，コンテンツＣ−ＩＤ）の印刷対象ＩＤの組それぞれの印刷データの生成を印刷データ生成部２３３に指示する。印刷データ生成部２３３は、印刷対象ＩＤの組ごとにステップＳ２４５の処理を行って印刷データを生成し、印刷データ送信部２３４は、生成された全ての印刷データを店舗端末４に送信する。
【００７７】
店舗装置３は、コンテンツ提供装置２から１以上の印刷データを受信すると、各印刷データに対して、商品購入の都度、被印刷物７を印刷する場合と同様に、ステップＳ１１５以降の処理を行う。すなわち、店舗端末４は、店舗別コンテンツの印刷が必要な場合、コンテンツ提供装置２から受信した印刷データに対し、店舗別コンテンツ印刷領域Ａ３に店舗別コンテンツのコンテンツデータを印刷させるための加工を行う。店舗端末４は、加工した印刷データと印刷実行命令とを印刷装置５に出力する。一方、店舗別コンテンツの印刷が不要な場合、店舗端末４は、コンテンツ提供装置２から受信した印刷データと印刷実行命令とを印刷装置５に出力する。店舗端末４の印刷指示部４４５は、印刷実行命令を送信する際、ステップＳ１０５において入力された印刷数に基づいて各印刷データの印刷数を決定し、印刷実行命令に設定する。例えば、印刷指示部４４５は、ステップＳ１０５において入力された印刷数を、受信した印刷データの数で除算した値を、各印刷データの印刷数とする。ステップＳ１３５において、印刷装置５の制御部５６は、店舗端末４から受信した各印刷データを、印刷実行命令に設定されたその印刷データの印刷数だけスリーブ７１に印刷し、印刷履歴情報を記憶部５３に書き込む。
【００７８】
なお、各印刷データの印刷数を印刷装置５の制御部５６が決定してもよい。この場合、店舗端末４の印刷指示部４４５は、１以上の印刷データと、ステップＳ１０５において入力された印刷数を設定した印刷実行命令とを印刷装置５に出力する。印刷装置５の制御部５６は、店舗端末４から受信した１以上の印刷データを記憶部５３に書き込む。制御部５６は、印刷データが複数ある場合、印刷実行命令に設定された印刷数に達するまでランダムに各印刷データを選択し、選択した印刷データを印刷するよう印刷部５４を制御する。
【００７９】
また、コンテンツ提供装置２の印刷コンテンツ選択部２３２は、印刷対象ＩＤの組それぞれの選択比率を決定し、印刷データ生成部２３３は、印刷対象ＩＤの組について生成した印刷データに、その印刷データの選択比率を付与して店舗端末４に送信してもよい。選択比率は、例えば、各組を構成する印刷対象ＩＤで特定されるコンテンツの広告費の合計や平均、それらコンテンツが印刷された実績数（期間経過割合から印刷完了割合を減算した値、又は、印刷完了割合を期間経過割合で除算した値）の合計や平均等に基づいて決定することができる。店舗端末４の印刷指示部４４５又は印刷装置５の制御部５６は、ステップＳ１０５において入力された印刷数を、各印刷データに付加された選択比率となるように配分することによって、各印刷データの印刷数を決定する。
【００８０】
＜定期的に印刷データを生成する場合＞
上述の実施形態では、店舗装置３が、店員又は購入者が操作を行ったときに、コンテンツ提供装置２に印刷データの送信要求を送信しているが、コンテンツ提供装置２が、各店舗の印刷データを、日に１〜数回など定期的に生成して店舗装置３に配信してもよい。この場合、コンテンツ提供装置２は、検索キーとして、店舗属性情報と、印刷データの生成日時とを用い、上記と同様の処理を行う。店舗装置３の店舗端末４は、コンテンツ提供装置２から受信した印刷データに上記と同様の処理を行って印刷装置５に送信する。印刷装置５は、店舗端末４から受信した印刷データを記憶部５３に保持する。店舗端末４又は印刷装置５に印刷開始指示が入力されると、印刷装置５は記憶部５３に記憶している最新の印刷データを被印刷物７に印刷する。
【００８１】
または、店舗端末４の印刷データ受信部４４３は、上記と同様にコンテンツ提供装置２が生成した印刷データを受信して記憶部４３に記憶しておき、印刷データ加工部４４４は、店員又は購入者が印刷開始指示を入力した場合に、記憶部４３から印刷データを読み出して、図９のステップＳ１２０以降の処理を行ってもよい。これにより、店舗別コンテンツについては最新のものが印刷されるようにすることができる。
【００８２】
別の様態として、店舗装置３が定期的に印刷データの送信要求を送信し、その送信要求に応じてコンテンツ提供装置２が印刷データを生成して店舗装置３に送信するようにしてもよい。
【００８３】
＜生成しておいた印刷データを印刷データ要求時に配信する場合＞
コンテンツ提供装置２は、予め各店舗の店舗属性情報を用いて印刷データを生成しておいてもよい。この場合、コンテンツ提供装置２は、印刷データ生成対象の店舗の店舗属性情報のみを、又は、その店舗属性情報と印刷データの生成日時とを検索キーとして用い、上記と同様に印刷データを生成する。コンテンツ提供装置２の印刷データ生成部２３３は、生成した印刷データを、印刷データ生成対象の店舗の店舗ＩＤと対応づけて記憶部２２に記憶しておく。そして、コンテンツ提供装置２の印刷データ要求受信部２３１が店舗端末４から印刷データ要求を受信すると、印刷データ送信部２３４は、受信した印刷データ要求に設定されている店舗ＩＤに対応して記憶部２２に記憶される印刷データを読み出して返送する。
【００８４】
＜クライアントのコンテンツと店舗別コンテンツを選択的に印刷する場合＞
上記実施形態では、クライアントのコンテンツと店舗別コンテンツとの両方を被印刷物７に印刷しているが、クライアントのコンテンツと店舗別コンテンツとを選択的に印刷してもよい。この場合、被印刷物７に固定印刷領域とコンテンツ印刷領域を設け、コンテンツ印刷領域に、クライアントのコンテンツと店舗別コンテンツとのいずれかを印刷する。そして、店舗端末４に店舗別コンテンツ送信部（図示せず）を設け、店舗ＩＤと、店舗別コンテンツ選択情報と、店舗別コンテンツ選択情報に対応した店舗別コンテンツ情報と、店舗別コンテンツの印刷頻度とを設定した店舗別コンテンツ登録情報をコンテンツ提供装置２に通知し、コンテンツ情報記憶部２２２に登録しておく。図９のステップＳ２１０の処理の前に、コンテンツ提供装置２の印刷コンテンツ選択部２３２は、店舗端末４から受信した印刷データ要求と同じ店舗ＩＤが設定されている店舗別コンテンツ登録情報を特定し、印刷頻度を取得する。印刷コンテンツ選択部２３２は、取得した印刷頻度に基づいて、クライアントのコンテンツと、店舗別コンテンツのいずれを印刷するかを判断する。
【００８５】
印刷コンテンツ選択部２３２がクライアントのコンテンツを印刷すると判断した場合、コンテンツ提供装置２は図９のステップＳ２１０以降の処理を行う。ただし、印刷データ生成部２３３は、印刷対象ＩＤに基づいて取得したコンテンツデータがコンテンツ印刷領域に印刷されるような印刷データを生成する。一方、印刷コンテンツ選択部２３２は、店舗別コンテンツを印刷すると判断した場合、特定した店舗別コンテンツ登録情報から、情報番号及び現在時刻に合致する店舗別コンテンツ選択条件と対応付けられた店舗別コンテンツ情報を読み出し、印刷データ生成部２３３に出力する。印刷データ生成部２３３は、店舗別コンテンツ情報に基づいて店舗別コンテンツのコンテンツデータを取得し、取得したコンテンツデータがコンテンツ印刷領域に印刷されるような印刷データを生成する。印刷データ送信部２３４は、生成された印刷データを店舗端末４に送信する。
【００８６】
また、コンテンツ提供装置２は、店舗端末４から通知された店舗別コンテンツの印刷頻度に代えて、クライアントのコンテンツが印刷された実績数と、そのコンテンツの上限印刷数との比較に基づいて、クライアントのコンテンツと、店舗別コンテンツのいずれを被印刷物７へ印刷するかを決定してもよい。この場合、店舗端末４の店舗別コンテンツ送信部（図示せず）は、店舗ＩＤと店舗別コンテンツ情報とを設定した店舗別コンテンツ登録情報を予めコンテンツ提供装置２に通知し、コンテンツ情報記憶部２２２に登録しておく。コンテンツ提供装置２の印刷コンテンツ選択部２３２は、ステップＳ２３５又はステップＳ２４０の処理の後、印刷対象ＩＤのコンテンツについて、印刷完了割合が期間経過割合を所定だけ超えるか否かを判断し、超えていない場合は印刷対象ＩＤのコンテンツを印刷対象とし、超える場合は店舗別コンテンツを印刷対象とする。印刷データ生成部２３３は、印刷データ要求に設定されている店舗ＩＤに対応した店舗別コンテンツ情報に基づいて店舗別コンテンツのコンテンツデータを取得し、取得したコンテンツデータがコンテンツ印刷領域に印刷されるような印刷データを生成する。
【００８７】
また、コンテンツ提供装置２は、印刷対象ＩＤのコンテンツの広告費に応じた割合により、クライアントのコンテンツと、店舗別コンテンツのいずれを被印刷物７へ印刷するかを決定してもよい。
【００８８】
上記では、店舗端末４において、コンテンツ提供装置２から受信した印刷データに加工を行わなくてもよいが、店舗別コンテンツが印刷対象として選択された場合に、店舗端末４において店舗別コンテンツを印刷するための印刷データの加工を行ってもよい。この場合、店舗端末４は、店舗別コンテンツ登録情報をコンテンツ提供装置２に送信しなくてもよい。コンテンツ提供装置２は、店舗別コンテンツを印刷対象として選択した場合、コンテンツ印刷領域に何も印刷されない印刷データを送信し、店舗端末４に送信する。店舗端末４の印刷データ受信部４４３は、コンテンツ提供装置２から受信した印刷データに印刷対象ＩＤが設定されていない場合に、印刷データ加工部４４４に印刷データを出力する。印刷データ加工部４４４は、記憶部４３から読み出した店舗別コンテンツ情報に基づいてコンテンツデータを取得し、印刷データに対して、取得したコンテンツデータをコンテンツ印刷領域に印刷させるための加工を行って印刷指示部４４５に出力する。
【００８９】
［効果］
上述した実施形態によれば、店舗で購入された商品と共に提供される被印刷物に、店舗ごとに特徴ある情報を印刷することができる。これにより、店舗は、利用者の興味を惹く身近なコンテンツを提供することができるため、このコンテンツを楽しみに店舗を利用する利用者が増加することが見込まれる。また、クライアントは、効果が高いエリアや顧客層に絞って広告を提供することができるため、広告の対費用効果を高めることができる。また、店舗では、クライアントの広告が印刷された被印刷物を商品とともに提供することにより、クライアントの広告等を印刷することによる広告料を得ることができる。また、店舗では、その場で即時に入力したオリジナルメッセージや、ＳＮＳと連動した情報、店舗で利用できるクーポンなどを店舗の利用者に提供することで、店舗に興味を持ってもらい、効果的に来店を促すことができる。また、コンテンツ提供者では、クライアントのコンテンツの配信の企画や、被印刷物の提供等による利益を得ることができる。
【００９０】
［その他］
なお、上述のコンテンツ提供装置２、店舗端末４、印刷装置５及び情報提供装置６は、内部にコンピュータシステムを有している。そして、コンテンツ提供装置２、店舗端末４、印刷装置５及び情報提供装置６の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００９１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００９２】
以上、この発明の実施形態について図面を参照して詳述してきたが、具体的な構成はこの実施形態に限られるものではなく、この発明の要旨を逸脱しない範囲の設計等も含まれる。
【符号の説明】
【００９３】
１…コンテンツ印刷システム
２…コンテンツ提供装置
３…店舗装置
４…店舗端末
５…印刷装置
６…情報提供装置
７…被印刷物
９…ネットワーク
２１…通信部
２２…記憶部
２３…処理部
４１…通信部
４２…入力部
４３…記憶部
４４…処理部
５１…通信部
５２…入力部
５３…記憶部
５４…印刷部
５５…印刷履歴管理部
５６…制御部
７１…スリーブ
２２１…店舗情報記憶部
２２２…コンテンツ情報記憶部
２２３…印刷実績情報記憶部
２３１…印刷データ要求受信部
２３２…印刷コンテンツ選択部
２３３…印刷データ生成部
２３４…印刷データ送信部
４４１…店舗別コンテンツ登録部
４４２…印刷データ要求部
４４３…印刷データ受信部
４４４…印刷データ加工部
４４５…印刷指示部
【図１】
2018132938.tif 000003
【図２】
2018132938.tif 000004
【図３】
2018132938.tif 000005
【図４】
2018132938.tif 000006
【図５】
2018132938.tif 000007
【図６】
2018132938.tif 000008
【図７】
2018132938.tif 000009
【図８】
2018132938.tif 000010
【図９】
2018132938.tif 000011